(57)【要約】【課題】詰まった媒体を装置外へ除去する際のユーザの操作性を向上させる技術を提供すること。【解決手段】搬送されるシート上にトナー画像を形成する画像形成手段と、前記画像形成手段によって形成された未定着のトナー画像を前記シート上に定着させる定着手段と、前記画像形成手段によってトナー画像が形成されたシートを前記定着手段へと搬送し、装置本体に対して引き出し可能な搬送ユニットと、前記搬送ユニットが前記装置本体に対して引き出される場合、前記搬送ユニット内のシートにおける該シートの全領域よりも小さい領域を押圧する押圧手段と、を備えた。【選択図】図６
2017116741.tif 000002
【特許請求の範囲】
【請求項１】
搬送されるシート上にトナー画像を形成する画像形成手段と、
前記画像形成手段によって形成された未定着のトナー画像を前記シート上に定着させる定着手段と、
前記画像形成手段によってトナー画像が形成されたシートを前記定着手段へと搬送し、装置本体に対して引き出し可能な搬送ユニットと、
前記搬送ユニットが前記装置本体に対して引き出される場合、前記搬送ユニット内のシートにおける該シートの全領域よりも小さい領域を押圧する押圧手段と、
を備えたことを特徴とする画像形成装置。
【請求項２】
前記搬送ユニットは、前記装置本体に対して、前記シートの搬送方向と交差する方向に引き出し可能であることを特徴とする請求項１に記載の画像形成装置。
【請求項３】
前記押圧手段は、前記シートにおいて、前記画像形成手段によって画像が形成されない領域を押圧することを特徴とする請求項１又は２に記載の画像形成装置。
【請求項４】
前記押圧手段は、前記搬送方向と交差する方向に移動し、前記搬送ユニット内のシートにおける該シートの前記搬送ユニットの引き出し方向における端部を押圧することを特徴とする請求項１又は２に記載の画像形成装置。
【請求項５】
前記押圧手段は、前記シートのサイズ情報に基づいて前記シートの端部まで移動し、前記シートの端部を前記搬送路に対して押圧することを特徴とする請求項１乃至４のいずれか１項に記載の画像形成装置。
【請求項６】
前記押圧手段は、
前記搬送方向と交差する方向に移動可能な本体部と、
前記本体部に対して回動自在に設けられ、前記シートを押圧する押圧部と、
前記本体部を移動させる移動手段と、
前記押圧部を回動させる回動手段と、
を備え、
前記押圧部が回動することで、前記押圧部が前記シートを前記搬送路に対して押圧することを特徴とする請求項１乃至５のいずれか１項に記載の画像形成装置。
【請求項７】
前記押圧手段は、前記搬送ユニットと前記装置本体との境界に跨って配置されることを特徴とする請求項１乃至６のいずれか１項に記載の画像形成装置。
【請求項８】
前記シートの搬送が正常に行われていないことを検知する検知手段をさらに備え、
前記押圧手段は、前記検知手段の検知結果に基づいて、前記シートの端部まで移動し、前記シートを押圧することを特徴とする請求項１乃至７のいずれか１項に記載の画像形成装置。
【請求項９】
前記押圧手段は、前記シートにおける前記画像形成手段によって画像が形成されない部分を押圧することを特徴とする請求項１乃至８のいずれか１項に記載の画像形成装置。
【請求項１０】
横レジ検知機構をさらに備え、
前記押圧手段は、前記横レジ検知機構と連動することで、前記搬送方向と交差する方向に移動可能であることを特徴とする請求項１乃至９のいずれか１項に記載の画像形成装置。
【請求項１１】
搬送されるシート上にトナー画像を形成する画像形成手段と、
前記画像形成手段によって形成された未定着のトナー画像を前記シート上に定着させる定着手段と、
前記画像形成手段によってトナー画像が形成されたシートを前記定着手段へと搬送し、装置本体に対して引き出し可能な搬送ユニットと、
を備えた画像形成装置の制御方法であって、
前記搬送ユニットが前記装置本体に対して引き出される引出工程と、
前記引出工程において、前記搬送ユニット内のシートにおける該シートの全領域よりも小さい領域を押圧する押圧工程と、
を備えたことを特徴とする制御方法。
【発明の詳細な説明】
【技術分野】
【０００１】
本発明は、画像形成装置及び制御方法に関する。
【背景技術】
【０００２】
複写機、プリンタ、ファクシミリ等の画像形成装置には、メンテナンス性向上のため、シート搬送路の一部を含み、シートの搬送方向と直交する方向に引き出し可能なシート搬送ユニットを有するものがある。この画像形成装置は、シート搬送路の所定位置にシートの詰まりを検知するシートセンサを設けており、シートの詰まりが検知された際には、画像形成装置の表示部にシート詰まりの位置を表示している。操作者は、表示部の表示に基づいて該当するシート搬送ユニットを引き出し、詰まったシートを装置外へ除去することにより画像形成装置の動作を再開させることができる。
【０００３】
しかし、詰まったシートがシート搬送ユニットと本体側のシート搬送路に跨って停止した場合、シート搬送ユニットを引き出すと、本体側のシート搬送路にシートの一部が残っているためシートの破断が起こるという問題がある。このようにシートの破断が起こると、本体側のシート搬送路内に残ったシートを除去しなければならず、操作が煩雑であるとともに、破断したシートが装置の奥に入り込みシートの除去が困難になる場合がある。また、このようなシート搬送ユニットでは、シート搬送路が上方の解放する空間であるため、シート搬送ユニットを引き出した際に、シート搬送ユニット内のシートが本体側の内装カバーと引っかかる問題もある。
【０００４】
そこで特許文献１には、シート（用紙）搬送ユニット内の搬送路が、固定ガイドと回動式のガイド部材で構成され、シートの詰まりが発生すると、シートは回動ガイド部材と固定ガイド部材との間で折りたたまれ、シート搬送ユニット内に収容される技術が記載されている。このため、このシート搬送ユニットを引き出すことにより、詰まったシートを容易に装置外へ除去することができる。また、シート搬送ユニットを引き出す際のシートの破断も防止され、シートを迅速に除去してコピー動作を再開することができる。
【先行技術文献】
【特許文献】
【０００５】
【特許文献１】特開平７−３０９４７８号公報
【発明の概要】
【発明が解決しようとする課題】
【０００６】
しかしながら、上記特許文献１に記載の技術では、シート上にトナー画像を形成する画像形成手段と、シートにトナー画像を定着させる定着手段との間の搬送路が引き出される場合、未定着のトナー画像が載ったシートを回動ガイド部材によって折りたたむことになるため、搬送路としての回動ガイド部材や機内が汚れてしまう。そのため、ユーザは、詰まったシートを除去した後に回動ガイド部材の清掃を行う必要があり、操作性が悪かった。
【０００７】
本発明の目的は、詰まった媒体を装置外へ除去する際のユーザの操作性を向上させる技術を提供することにある。
【課題を解決するための手段】
【０００８】
本発明によれば、例えば、搬送されるシート上にトナー画像を形成する画像形成手段と、前記画像形成手段によって形成された未定着のトナー画像を前記シート上に定着させる定着手段と、前記画像形成手段によってトナー画像が形成されたシートを前記定着手段へと搬送し、装置本体に対して引き出し可能な搬送ユニットと、前記搬送ユニットが前記装置本体に対して引き出される場合、前記搬送ユニット内のシートにおける該シートの全領域よりも小さい領域を押圧する押圧手段と、を備えたことを特徴とする画像形成装置が提供される。
【発明の効果】
【０００９】
本発明によれば、詰まった媒体を装置外へ除去する際のユーザの操作性を向上させることができる。
【図面の簡単な説明】
【００１０】
【図１】本発明の実施形態に係る画像形成装置の概略断面。
【図２】本発明の実施形態に係る画像形成装置の外観図。
【図３】画像形成装置の回路ブロック図。
【図４】従来構成の画像形成装置の部分断面図。
【図５】本実施形態のシート抑制部材の未回動時における部分断面図。
【図６】本実施形態のシート抑制部材の回動時における部分断面図。
【図７】（Ａ）は移動開始時、（Ｂ）は移動終了時におけるシート抑制部材の外観図。
【図８】（Ａ）は回動開始時、（Ｂ）は回動終了時におけるシート抑制部材の外観図。
【図９】第一実施形態に係るシート抑制部材の制御フローチャート。
【図１０】（Ａ）は移動開始時、（Ｂ）は移動終了時における第二実施形態に係るシート抑制部材の外観図。
【発明を実施するための形態】
【００１１】
以下、本発明の実施形態について図面を参照して説明する。なお、各図面を通して、同一符号は同一または対応部分を示すものである。また、以下の説明において、図面の上下左右方向を以下に説明する装置または各構成要素の上下左右方向として説明に用いることとする。本発明は、実施形態として電子写真方式、静電記録方式等の画像形成装置を例に説明するが、インクドット方式等のインクジェット記録装置や、記録部を備えない搬送装置にも適用可能である。また、本実施形態では「シート（媒体）」としてシート状のシートを想定するが、布、プラスチック・フィルム等であってもよい。
【００１２】
＜画像形成装置１００＞
以下に複写機やプリンタ、ファクシミリ等に代表される画像形成装置に用いられる記録媒体給送装置及びこれを搭載した画像形成装置を例に説明する。図１は本発明の画像形成装置１００の構成を示す全体図である。画像形成装置１００における画像形成のメカニズムについて説明する。給送カセット１１０にセットされたシート（媒体）Ｐは給送部１１１により給送され、レジ前搬送部２０２により、レジ搬送部１２０まで搬送される。レジ前搬送部２０２にはシート位置を検知して画像形成のタイミングを決める書き込みセンサ２０４が配置され、このセンサ２０４によるタイミングに応じてドラム１０１上に画像形成を行う。帯電器１０２でドラム１０１表面に電位帯電させ、制御部１１２から送られた画像データに基づいて、レーザースキャナー１０３からドラム１０１表面にトナー像が照射される。
【００１３】
現像器１０４の現像スリーブ１０４Ｓ上のトナーを図中矢印Ｒ１で示す時計方向に回転するドラム１０１表面に現像し、転写搬送部１０５とドラム１０１のニップ部Ｔ１でシートＰにトナー像が転写される。転写搬送部１０５はシートＰを吸着搬送する転写ベルト１０５ａとベルト駆動ローラ１０５ｂとで構成される。トナーを転写されたシートＰは図中矢印Ｒ２で示す左方向（下流側）へ搬送され、定着部１０７を介して、機外に排出される。
【００１４】
ドラム１０１表面に残ったトナーはクリーニング部１０６で回収される。また、レジ搬送部１２０にレジ前センサ２０５、定着部１０７の前後に定着入口センサ２０６、定着出口センサ２０７が配置される。各センサではシートＰの位置を検知し、センサの検知タイミングに遅延が発生した場合、例えばシート詰まり（ジャム）等の搬送が正常に行われていない問題が発生していると判断し、シートの搬送動作を停止させる。
【００１５】
次に、シート搬送ユニット（搬送ユニット）２００の引き出し動作について説明する。レジ搬送部１２０、転写搬送部１０５、定着部１０７は、画像形成装置１００本体（装置本体）に対して搬送方向（例えば、図１中矢印Ｒ２）と交差、例えば直交する方向に引き出し可能に支持されたシート搬送ユニット２００上に配置される。シート搬送ユニット２００はシート搬送ユニットレール２０１上に保持され、シート搬送ユニット引き出しロックレバー２０３を図１中矢印Ｂで示す反時計方向へ回動してロックを解除することで、引き出し可能となる（図２参照）。また、機内の昇温を防止するためのファンを有した内装カバー３０２を本体前面に設けている。本体サイズを抑えるために、シート搬送ユニット２００を引き出す際に、シート搬送ユニット２００と内装カバー３０２が近接する構成となっている。また、図１に示すように、シート搬送ユニット２００と隣接する内装カバー３０２（装置本体）との境界に跨って、抑制部材３０１が配置される。抑制部材３０１は、詳細は後述するが、例えば定着部１０７でシート詰まりが発生した際に、転写搬送部１０５上のシートが転写搬送部１０５の上方へ撓み、内装カバー３０２と干渉することを抑制する。
【００１６】
＜制御構成＞
図３は画像形成装置１００の回路ブロック図である。画像形成装置１００は、ＣＰＵ１１、ＲＡＭ１２、ＲＯＭ１３を備える。画像形成装置１００は、図示しないモータによって駆動される転写搬送部１０５、定着部１０７、レジ搬送部１２０、レジ前搬送部２０２を備える。画像形成装置１００は、書き込みセンサ２０４、レジ前センサ２０５、定着入口センサ２０６、定着出口センサ２０７（以下、検知センサ（検知部）２０４−２０７ともいう）を備える。ＣＰＵ１１は、装置全体の動作を制御する。ＲＡＭ１７は、ＣＰＵ１１の作業領域及びデータの一時記憶領域である。ＲＯＭ１３は、画像形成装置１００を駆動するためのファームウェアプログラムや、ファームウェアプログラムを制御するためのブートプログラムを記憶しており、ＣＰＵ１１によって使用される。ＣＰＵ１１、ＲＡＭ１２、ＲＯＭ１３は、例えば制御部１１２に配置される。
【００１７】
検知センサ２０４−２０７は、シートの先端・後端を検知する。その検知結果は、シート搬送制御に関する各種搬送ローラの給送タイミング等の制御に使用される。ＣＰＵ１１は、検知センサ２０４−２０７の検知情報に基づき、シートＰを搬送するための駆動部として各搬送部にそれぞれ配置される複数の搬送モータを駆動して、シートの搬送を制御する。後述する図９のフローチャートで示される処理を実現するプログラムは、ＲＯＭ１３内に記憶されており、ＣＰＵ１１がこの処理プログラムを読み出し実行することにより、各処理動作を行う。
【００１８】
ここで従来構成での、シート詰まり発生時の動作について図４を参照して説明する。定着部１０７入口でシート詰まりが発生した場合、定着入口センサ２０６でシートの遅延または滞留を検知し、シートＰの搬送を停止させる。従来の構成では図４のように、定着部１０７入り口で先端がシート詰まりした場合に、矢印Ｃで示すシートＰの一部が浮き上がり、内装カバー３０２と重なってしまう場合があった。このため、シート搬送ユニット２００を引き出して、シートＰのシート詰まりの処理を行う際に、シートＰが内装カバー３０２と引っかかり、シートＰの破断や内装カバー３０２の破損を引き起こす場合があった。
【００１９】
＜第一実施形態＞
次に本発明の第一実施形態でのシート詰まり発生時の動作について図１及び図５から図９を参照して説明する。本実施形態では、シート搬送ユニット２００内にシート抑制部材３０１が設けられる。シート抑制部材３０１は、搬送方向と交差（例えば、直交）する方向に移動可能で、シートＰがシート搬送ユニット２００と画像形成装置１００本体（内装カバー３０２、装置本体）との間に留まることを抑制する。またシート抑制部材３０１は、シート搬送ユニット２００と画像形成装置１００本体（内装カバー３０２、装置本体）との境界に跨って配置される。
【００２０】
搬送路におけるシートＰの詰まりが発生した際に、シート抑制部材３０１は、あらかじめ入力された情報であるシートＰのサイズ情報に基づいて、シートＰの端部まで移動し、この端部を搬送路へ向かって押圧する。具体的には図５から図８を参照して、シート抑制部材３０１がシートＰを押圧する動作を説明する。なおシートＰのサイズ情報は、図示しない検知部によって事後的に検知されてもよい。
【００２１】
図５は、シートＰの詰まりが発生した状態であって、矢印Ｃ１で示す領域でシートＰの一部が上方に浮き上がっている状態となっている。次いで図６に示すように、シート抑制部材３０１がシートＰを搬送路へ向かって図中下方へ押圧する。こうすることで、シートＰはシート搬送ユニット２００と画像形成装置１００本体（内装カバー３０２、装置本体）との境界部分から排除され、シート搬送ユニット２００内に収容される。
【００２２】
図７及び図８を参照して、シート抑制部材３０１が、搬送方向と交差する方向におけるシートＰの端部を押圧する動作を詳細に説明する。シート抑制部材３０１は、搬送方向と交差する方向に移動可能な本体部３０１ａと、本体部３０１ａに対して回動自在に設けられ、シートＰを押圧する押圧部３０１ｂとを備える。さらにシート抑制部材３０１は、本体部３０１ａを移動させる移動部３０４と、押圧部３０１ｂを回動させる回動部３０３とを備える。図７は、搬送方向の下流側から見たシート抑制部材３０１の側面図であり、図７（Ａ）は本体部３０１ａの移動前、図７（Ｂ）は本体部３０１ａの移動後を示す。図７においてシートＰは一部が上方に撓んでいる状態であり、説明のためシートＰの下方に位置する搬送路の図示は省略している。
【００２３】
シートＰのシート詰まり発生時に、図７（Ａ）に示す状態にシート抑制部材３０１が位置しているとする。この状態から、あらかじめ入力されたシートＰのサイズ情報に基づいて、移動部３０４は、例えばラックーピニオン機構を用いて、本体部３０１ａのラックを矢印Ｅ方向へ移動させる。このとき、例えば駆動モータを矢印Ｄ方向へ回動させることで、ギヤを介して、ラックを矢印Ｅ方向へ移動させている。こうすることで図７（Ｂ）に示すように本体部３０１ａと共に移動した押圧部３０１ｂがシートＰの端部（図中左側端部）まで移動される。なお本体部３０１ａには、シートＰの搬送路からの高さに応じて、押圧部３０１ｂ及び回動部３０３の高さ方向の移動を可能にする駆動部を備えてもよい。
【００２４】
図７（Ｂ）における押圧部３０１ｂを拡大した図８を参照して、押圧部３０１ｂの動作について説明する。押圧部３０１ｂがシートＰの端部の所定の位置へ到達すると、図８（Ａ）、（Ｂ）に示すように押圧部３０１ｂが回動することで、押圧部３０１ｂがシートＰを搬送路へ向かって押圧する。詳細には、回動部３０３は例えばプランジャ３０３ａを駆動する図示しないソレノイドを内装している。またプランジャ３０３ａは、押圧部３０１ｂが回動可能なようにリンク機構３０３ｂを介してこれと接続される。例えば、図８（Ａ）に示すようにソレノイドによってプランジャ３０３ａが図中左側の矢印Ｆ方向へ移動すると、押圧部３０１ｂはリンク機構３０３ｂを介して時計方向である矢印Ｇ方向へ回動する。すると、図８（Ｂ）に示すように押圧部３０１の自由端部がシートＰの端部と当接して、これを図中下方へ押圧する。
【００２５】
したがって、回動部３０３が動作し、押圧部３０１ｂを回動させることで、シートＰの浮き上がりを抑制する。このとき、図８（Ｂ）に示すようにシートＰには、端部の非印字領域Ｒと端部より内方の印字領域Ｑとが形成されている。本実施形態においては、押圧部３０１ｂは、主に非印字領域Ｒを抑える構成のため、印字領域Ｑへの押圧部３０１ｂの接触も最低限にすることが可能となる。つまり、シート抑制部材３０１がシートＰを搬送路へ向かって押圧する際に、定着前である印字領域Ｑのトナーの飛散も防止することが可能となる。
【００２６】
以上のように、従来図４に示すように内装カバー３０２と重なっていたシートＰの浮き上がりは、本実施形態の図５に示すようにシート搬送ユニット２００内に収まるように抑制される。したがって、シート搬送ユニット２００を引き出して、シートＰのシート詰まりの処理を行う際に、シートＰが内装カバー３０２と引っかかり、シートＰの破断や内装カバー３０２の破損を防止することが可能となる。また、シート抑制部材３０１はシートＰの端部のみを抑える構成のため、シート搬送ユニット２００を引き出した後の、シートＰの除去を容易に行うことが可能となる。
【００２７】
また本実施形態における、この動作の一連の制御フローを図９に示す。本実施形態では、例えばシートＰの搬送が正常に行われていないことを検知する検知部としての定着入口センサ２０６を用いてシートＰの詰まりを把握し、シート抑制部材３０１を駆動する制御を行う。シート詰まりが発生した際、Ｓ９０１で定着入口センサ２０６がシートＰの遅延または滞留を検知する。Ｓ９０２でＣＰＵ１１は、定着入口センサ２０６の検知情報に基づいて、レジ搬送部１２０、転写搬送部１０５の駆動を停止させる。
【００２８】
次いでＳ９０３でＣＰＵ１１は、シート抑制部材３０１をシートＰの端部まで移動させる駆動を開始する。このときＳ９０４でＣＰＵ１１は、制御部１１２においてあらかじめ入力または設定されたシートサイズ情報に基づいて、シート抑制部材３０１の本体部３０１ａをシートＰの端部まで移動させる。次いで、Ｓ９０５でＣＰＵ１１は、押圧部３０１ｂを回動させてシートＰを押圧することでシートＰを搬送路へ向かって押圧させ、処理を終了する。
【００２９】
以上のように本実施形態においては、シートＰのシート詰まりの発生時に、シート抑制部材３０１が装置本体に入力されたシートＰのサイズ情報に基づいて、シート端部まで移動し回動することで、シート端部の浮き上がりを抑える。これにより、シート搬送ユニット２００と装置本体の境界にまたがってシート詰まりが発生した際に、シート搬送ユニット２００を引き出した際の引っ掛かりを防止することが可能となる。また、シート抑制部材３０１をシート端部まで移動させ、シートの端部のみを抑えることにより、シート搬送ユニットを引き出した後のシートの処理が容易となる。つまり、従来はシート全体を押えていた部材を開く手間を省くことができる。
【００３０】
シート抑制部材３０１をシートＰの端部を押える構成としたため、シート抑制部材３０１を画像形成装置本体側を逃がす空間を形成する必要があるのは、シート抑制部材３０１が搬送方向と直交する方向に移動する領域のみである。したがって、装置本体サイズを大型化させることもなく、シートの引っ掛かりを防止することが可能となる。なお、本実施形態においては、定着入口センサ２０６を用いてシートＰの遅延または滞留を検知したが、定着部出口２０７を用いても上記と同様の作業でシート詰まりの処理を行うことが可能となる。
【００３１】
＜第二実施形態＞
図１０に示す本発明の第二実施形態においては、シート抑制部材３０１を移動させる移動部を両面搬送時の横レジ検知機構３０５と連動させている。つまり、シート抑制部材３０１の本体部３０１ａを横レジ検知機構３０５に設けているため、上記第一実施形態における移動部３０４に代えて、横レジ検知機構３０５の駆動機構を利用することができる。これにより、シート抑制部材３０１を移動させるための単独の駆動機構（例えば、第一実施形態における移動部３０４）を設ける必要がなく、本体コストを抑えることが可能となる。
【００３２】
図１０（Ａ）は移動開始時、図１０（Ｂ）は移動終了時におけるシートＰに対するシート抑制部材３０１の位置を示している。横レジ検知機構３０５による本体部３０１ａの移動については、上記第一実施形態における移動部３０４を用いた移動と同様であるからその説明は省略する。なお、横レジ検知機構３０５が本体部３０１ａを移動させる機構は、例えば上記したラックピニオン機構を採用することができる。
【００３３】
なお、本実施形態においては、シートＰの搬送路内での遅延または滞留を複数のセンサによって検知していたが、シートＰを搬送する搬送ローラの回転数、回転時間等を考慮して搬送路内でのシートＰの遅延または滞留を予測してもよい。
【００３４】
また、以上の実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【００３５】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。また、ＣＰＵも１つのＣＰＵで全ての処理を行うものに限らず、複数のＣＰＵが適宜連携をしながら処理を行うものとしてもよい。
【符号の説明】
【００３６】
１００  画像形成装置本体、１０１  ドラム、１０２  帯電器、１０３  レーザースキャナー、１０４  現像器、１０４Ｓ  現像スリーブ、１０５  転写搬送部、１０５ａ  転写搬送ベルト、１０５ｂ  ベルト駆動ローラ、１０６  ドラムクリーニング部、１０７  定着部、１１０  給送カセット、１１１  給送ローラ、１１２  制御部、１２０  レジ搬送部、２００  シート搬送ユニット、２０１  シート搬送ユニットレール、２０２  レジ前搬送部、２０３  シート搬送ユニット引き出しロックレバー、２０４  書き込みセンサ、２０５  レジ前センサ、２０６  定着入口センサ、２０７  定着出口センサ、３０１  シート抑制部材、３０２  内装カバー、３０３  回動部、３０４  移動部、３０５  横レジ検知機構、Ｔ１  転写ニップ部、Ｒ１  ドラム回転方向、Ｒ２  シート搬送方向、Ｂ  シート搬送ユニット引き出しロックレバー解除方向、Ｐ  シート、Ｑ  印字領域、Ｒ  非印字領域
【図１】
2017116741.tif 000003
【図２】
2017116741.tif 000004
【図３】
2017116741.tif 000005
【図４】
2017116741.tif 000006
【図５】
2017116741.tif 000007
【図６】
2017116741.tif 000008
【図７】
2017116741.tif 000009
【図８】
2017116741.tif 000010
【図９】
2017116741.tif 000011
【図１０】
2017116741.tif 000012